(57)【特許請求の範囲】
【請求項１】
割り当てられた所定のデータを記録する複数のメモリーと、
前記複数のメモリーに対応して予め定められた標準データを保持する標準データ保持手段と、
前記複数のメモリーの各々に固有のアドレスを付与するアドレス付与手段と、
前記アドレスのすべてを指定し、当該指定に基づいて前記標準データ保持手段からデータを読み出し、読み出したデータを前記指定されたアドレスに対応するメモリーに書き込む第１のモードと、前記複数のメモリーの内、交換されたメモリーに対応するアドレスを指定し、当該指定に基づいて前記標準データ保持手段からデータを読み出し、読み出したデータを前記指定されたアドレスに対応するメモリーに書き込む第２のモードを有し、ユーザにより選択されたモードを実行する選択実行手段とを備えることを特徴とする記録制御装置。
【請求項２】
前記メモリーは、不揮発性メモリーであり、
前記標準データ保持手段は、少なくともチャンネルデータ、画像カラーの明度、色相のデータ及びボリュームデータを格納することを特徴とする請求項１記載の記録制御装置。
【請求項３】
割り当てられた所定のデータを記録する複数のメモリーの各々に固有のアドレスを付与するアドレス付与工程と、
前記アドレスのすべてを指定し、当該指定に基づいて前記複数のメモリーに対応して予め定められた標準データを保持する標準データ保持部からデータを読み出し、読み出したデータを前記指定されたアドレスに対応するメモリーに書き込む第１のモードと、前記複数のメモリーの内、交換されたメモリーに対応するアドレスを指定し、当該指定に基づいて前記複数のメモリーに対応して予め定められた標準データを保持する標準データ保持部からデータを読み出し、読み出したデータを前記指定されたアドレスに対応するメモリーに書き込む第２のモードを有し、ユーザにより選択されたモードを実行する選択実行工程を備えることを特徴とする記録制御方法。
【発明の詳細な説明】
【０００１】
【発明の属する技術分野】
本発明は、システムコントローラにより制御されてメモリーに書き込み，読み取り動作等を行わせる記録制御装置に関する。
【０００２】
【従来の技術】
従来、例えばテレビ受像機においては、ユーザー設定情報やテレビ受像機の調整情報等の標準データは、テレビ受像機の内部回路に設けられた１つの不揮発性メモリーに記録されていた。
このような標準データが記録された不揮発性メモリーが故障や欠陥等により交換する必要が生じた場合は、交換により新しい不揮発性メモリーを装着した後、テレビ受像機の調整を全く初めの零から始めるのではなく、予めシステムコントローラの中に調整情報等の標準データを記録させておき、システムコントローラが交換した不揮発性メモリーへの標準データ書き込みの指令信号を出力して書き込みを実行させることにより、システムコントローラの中に記録されていた標準データを交換した不揮発性メモリーに書き込み、この不揮発性メモリーに書き込んだ標準データに基づいてテレビ受像機の調整を立ち上げることにより、修理後のテレビ受像機の調整を零から始める場合よりも著しく容易にしていた。
【０００３】
また最近はテレビ受像機の高機能化に伴って機器の調整情報等が増大し、１個のメモリーでは容量不足となるため、複数のメモリーに標準データを分けて記録するテレビ受像機が普及してきている。このような複数のメモリーに標準データを分けて記録するテレビ受像機は、その組立に際しての記録調整時に全てのメモリーについて、予め各メモリー毎に分割して割当てられた標準データをすべて、各メモリー毎に一連の動作手順で一連の動作時間内に順次書き込んでいくようになっている。
【０００４】
図５はこのデータ書き込み時の一連の動作手順を示すフローチャートである。まず、順番を付された各メモリーのうちの１番目のメモリーへの書き込み指令信号（コマンド）がシステムコントローラから出力され（ステップＳ１）、次にその１番目のメモリーへの標準データの書き込みが実行される（ステップＳ２）。そしてその１番目のメモリーへの標準データの書き込みが終了したら（ステップＳ３のＹＥＳ）、標準データの書き込みが終了したメモリーの数Ｎが１つインクリメントされ（ステップＳ４）、すべてのメモリーへの書き込みが完了するまで、各メモリーについて同じ書き込み動作が繰り返される（ステップＳ５のＮＯ）。そしてすべてのメモリーへの書き込み動作が完了したら（ステップＳ５のＹＥＳ）、メモリーへの標準データの書き込み動作を終了する（エンド）。
【０００５】
【発明が解決しようとする課題】
しかしながら、このような複数のメモリーを有する従来のテレビ受像機においては、例えば出荷後に複数のメモリーのうちの１つが故障等により新しい正常なメモリーと交換した場合は、その交換した新しいメモリーに交換前の古いメモリーに書き込まれていた標準データを書き込まなければならない。このような場合従来のテレビ受像機においては、新品のテレビ受像機の製造組立に際しての記録調整時と同様に図５のフローチャートに沿って、すべてのメモリーについて、各々に割当てられている標準データをすべて、各メモリー毎に一連の手順で一連の時間内に順次書き込んでいくようになっていた。すなわちシステムコントローラには書き込み用のプログラムは、図５のフローチャートに示すもの１種類しか用意されていなかった。
【０００６】
従って交換していない各メモリーについても、各々に割当てられたそれ迄と全く同じ内容の標準データを、交換したメモリーと一緒に、新品のテレビ受像機の製造組立に際しての記録調整時と同様に上記一連の動作手順で一連の動作時間内に順次書き込むようになっているため、すべてのメモリーへの標準データの書き込み及びその後のテレビ受像機の調整に長時間を要し、交換していないメモリーへの標準データ書き込みの重複動作による無駄を生じていた。
すなわち従来の複数のメモリーを有するテレビ受像機においては、一部のメモリーだけを故障等で交換した場合において、簡単に短時間で標準データの書き込みや調整が完了できるようにしようとの配慮に欠けているという問題があった。
【０００７】
そこで本発明は、所定のデータを記憶する複数のメモリーのうち一部のメモリーを故障等で交換するに際して、簡単に短時間で所定のデータの書き込みが完了できるよう配慮された記録制御装置を提供することを課題とするものである。
【０００８】
【課題を解決するための手段】
上記課題を解決するために本発明に係る記録制御装置は、割り当てられた所定のデータを記録する複数のメモリーと、前記複数のメモリーに対応して予め定められた標準データを保持する標準データ保持手段と、前記複数のメモリーの各々に固有のアドレスを付与するアドレス付与手段と、前記アドレスのすべてを指定し、当該指定に基づいて前記標準データ保持手段からデータを読み出し、読み出したデータを前記指定されたアドレスに対応するメモリーに書き込む第１のモードと、前記複数のメモリーの内、交換されたメモリーに対応するアドレスを指定し、当該指定に基づいて前記標準データ保持手段からデータを読み出し、読み出したデータを前記指定されたアドレスに対応するメモリーに書き込む第２のモードを有し、ユーザにより選択されたモードを実行する選択実行手段とを備える。
また、上記課題を解決するために本発明に係る記録制御方法は、割り当てられた所定のデータを記録する複数のメモリーの各々に固有のアドレスを付与するアドレス付与工程と、前記アドレスのすべてを指定し、当該指定に基づいて前記複数のメモリーに対応して予め定められた標準データを保持する標準データ保持部からデータを読み出し、読み出したデータを前記指定されたアドレスに対応するメモリーに書き込む第１のモードと、前記複数のメモリーの内、交換されたメモリーに対応するアドレスを指定し、当該指定に基づいて前記複数のメモリーに対応して予め定められた標準データを保持する標準データ保持部からデータを読み出し、読み出したデータを前記指定されたアドレスに対応するメモリーに書き込む第２のモードを有し、ユーザにより選択されたモードを実行する選択実行工程を備える。
【０００９】
このような構成の記録制御装置及び方法によれば、所定のデータが記録されている複数のメモリーの各々に固有のアドレスを付与し、このアドレスに対応して予め定められた標準データを標準データ保持部に保持し、例えば、アドレスのすべてを指定し、当該指定に基づいて前記標準データ保持手段からデータを読み出し、読み出したデータを前記指定されたアドレスに対応するメモリーに書き込む第１のモードと、例えば、前記複数のメモリーの内、交換されたメモリーに対応するアドレスを指定し、当該指定に基づいて前記標準データ保持部から対応するデータを読み出し、読み出したデータを前記指定されたアドレスに対応するメモリーに書き込む第２のモードを状況に応じて選択できるので、ユーザが第１のモードを選択した場合には、メモリーに付与されていたアドレスのすべてが指定され、指定されたアドレスに基づいて標準データ保持部からデータを読み出し、読み出したデータをメモリーに書き込む動作が実行され、また、ユーザが第２のモードを選択した場合には、故障したメモリーに付与されていたアドレスが指定され、指定したアドレスに基づいて標準データ保持部から所定のデータを読み出し、読み出したデータを、新たなメモリーにのみ書き込む動作を実行させることができ、また、特に一部のメモリーのみを交換する場合には、交換の必要のないメモリーには改めてデータを書き直す必要がないので、データの書き込み作業を簡単にかつ短時間で完了させることができ、さらに、上記第1のモードと第２のモードを状況に応じて選択できることから、ユーザの好みに応じた動作をさせることができる。
【００１０】
【発明の実施の形態】
以下、本発明による記録制御装置の実施の形態について図面に基づいて説明する。
図１ないし図３は、本発明による記録制御装置の第１の実施の形態の説明に用いる図である。
【００１１】
図１は本発明の第１の実施の形態に係る記録制御装置を用いたテレビ受像機の回路要部の構成を示すブロック図である。同図に示す回路においては、４つの不揮発性メモリー１１〜１４がバス（ＢＵＳ）の端末に接続されて設けられており、これらの不揮発性メモリー１１〜１４には、バスを介してシステムコントローラ１５が接続されている。
【００１２】
一般にテレビ受像機には不揮発性メモリーが用いられているが、この不揮発性メモリーは、チャンネルデータ、画像カラーの明度，色相のデータ、ボリュームデータ、その他種々のデータを記録する上において、揮発性メモリーよりも有利な性質、性能を有しているためである。
【００１３】
不揮発性メモリー１１〜１４の各々には、アドレスＡ〜Ｄが設けられている。これらのアドレスＡ〜Ｄは、不揮発性メモリーが接続されるハードウェア上の位置により自動的に定まるように構成されている。
【００１４】
不揮発性メモリー１１〜１４の各々には、テレビ受像機のユーザー設定情報及び調整情報等の標準データが、分割されて各々のメモリーに予め割り当てられたデータが記録されるようになっている。システムコントローラ１５は、上記不揮発性メモリー１１〜１４の各々に割り当てられた標準データを、不揮発性メモリー１１〜１４の各々に書き込んだり、或は標準データを不揮発性メモリー１１〜１４の各々から読み出したりするよう指令信号を出力する。
【００１５】
次に新品のテレビ受像機の製造組立に際しての記録調整時において、システムコントローラ１５が、上記標準データを分割して不揮発性メモリー１１〜１４の各々に割り当てた標準データを、不揮発性メモリー１１〜１４の各々に書き込む動作手順について、図２のフローチャートに基づいて説明する。
【００１６】
まず、システムコントローラ１５が１番目に選択したアドレス（例えばＡ）の不揮発性メモリー１１への書き込み指令信号がシステムコントローラ１５から出力され（ステップＳ１）、次にそのアドレスＡの不揮発性メモリー１１への標準データの書き込みが実行される（ステップＳ２）。そしてその不揮発性メモリー１１への標準データの書き込みが終了したら（ステップＳ３のＹＥＳ）、標準データの書き込みが終了したメモリーの数Ｎが１つインクリメントされる（ステップＳ４）。次はすべてのアドレスのメモリーへの標準データの書き込みが完了したかが判別され（ステップＳ５）、まだＮＯの状態だったら次の動作サイクルに移行するためステップＳ１に戻る。
【００１７】
次は、システムコントローラ１５が２番目に選択したアドレス（例えばＢ）の不揮発性メモリー１２への書き込み指令信号がシステムコントローラ１５から出力され（ステップＳ１）、書き込み実行（ステップＳ２）、書き込み終了（ステップＳ３のＹＥＳ）、書き込みが終了したメモリーの数Ｎが１つインクリメント（ステップＳ４）、の手順で書き込み動作が行われる。
【００１８】
そしてアドレスＣ，Ｄの不揮発性メモリー１３，１４についても同じ手順で書き込み動作が行われる。すなわちすべてのメモリーへの書き込みが完了する迄、各メモリーについて同じ書き込み動作が繰り返される（ステップＳ５のＮＯ）。そしてすべてのメモリーへの書き込み動作が完了したら（ステップＳ５のＹＥＳ）、不揮発性メモリー１１〜１４への標準データの書き込みを完了する（エンド）。
【００１９】
以上の書き込み動作の手順は、従来例において説明した図５のフローチャートと実質的に異なるものではない。
【００２０】
次は不揮発性メモリー１１〜１４のうちのいずれか１つが、故障又は欠陥等により新しいメモリーと交換した場合のデータ書き込みの動作手順について、図３のフローチャートに基づいて説明する。
【００２１】
まず、交換したアドレス（例えばＣ）の不揮発性メモリー１３への書き込み指令信号がシステムコントローラ１５から出力され（ステップＳ１）、次にアドレスＣの不揮発性メモリー１３に、予め割り当てられた標準データの書き込みが実行される（ステップＳ２）。その書き込みの実行は、交換した不揮発性メモリー１３に割り当てられた標準データの書き込みが終了する迄続行され（ステップＳ３のＮＯ）、その標準データの書き込みが終了したら（ステップＳ３のＹＥＳ）メモリー交換後のデータ書き込み動作は終了となる（エンド）。
【００２２】
このように、交換していない各アドレスＡ，Ｂ，Ｄのメモリー１１，１２，１４については書き込みが行われないため、メモリー交換後のデータ書き込み動作及びその後のテレビ受像機の調整は簡単に短時間で済み、従来例のような交換していないメモリーへの標準データ書き込みの重複動作による無駄を省くことができる。
したがってシステムコントローラ１５は、図２に示すフローチャートを実行するプログラムと、図３に示すフローチャートを実行するプログラムの計２つのプログラムを有しており、状況に応じてそれらを選択的に実行できるようになっている。
【００２３】
図４は本発明による記録制御装置の第２の実施の形態を示す図である。
前記第１の実施の形態に係る記録制御装置においては、回路がバスを介して接続された複数（４つ）の不揮発性メモリー１１〜１４とシステムコントローラ１５とを有する場合について説明したが、この第２の実施の形態に係る記録制御装置においては、回路がバスを介して接続される複数（３つ）の不揮発性メモリー１１〜１３とシステムコントローラ１５とを有すると共に、不揮発性メモリー１２とシステムコントローラ１５との間にサブコントローラ１７が、また不揮発性メモリー１３とシステムコントローラ１５との間にサブコントローラ１８が、バス（ＢＵＳ）を介して接続されている点において異なるものである。
【００２４】
サブコントローラ１７及び１８は各々、不揮発性メモリー１２及び１３の管理動作や、一方のサブコントローラ１７または１８による他方のサブコントローラ１８または１７の管理動作等を行うために設けられるものである。不揮発性メモリー１２とサブコントローラ１７との間、及び不揮発性メモリー１３とサブコントローラ１８との間の破線で示されたバスは、システムコントローラ１５に接続されている実線で示されたバスと直接接続されていてもよいが、必ずしもそれらは直接接続されていないくともよい。
【００２５】
このような構成の回路を有する第２の実施の形態に係る記録制御装置においても、前記第１の実施の形態に係る記録制御装置と同様の効果を有することができる。
【００２６】
すなわち複数のメモリー１１，１２，１３の各々に個有のアドレスＡ，Ｂ，Ｃを設け、割当てられた所定のデータを記憶する複数のメモリー１１，１２，１３の一部を後に交換した場合は、システムコントローラ１５は前記交換した一部のメモリーのアドレスを指定して書き込み指令信号を出力し、前記交換する前の一部のメモリーに割当てられた所定のデータを前記交換した後の一部のメモリーのみに書き込むようにしたため、交換しなかったメモリーには改めてそれ迄と同じ内容の所定のデータが書き直されることはないので、メモリー交換後の所定のデータの書き込みを簡単に短時間で完了させることができる。
【００２７】
そして、システムコントローラ１５から不揮発性メモリー１２や１３への書き込み指令信号は、直接以外に、サブコントローラ１７や１８を介して出力されることがある点において、前記第１の実施の形態と異なるだけであり、書き込み動作においても、サブコントローラ１７や１８が不揮発性メモリー１２や１３を管理し、或は一方のサブコントローラ１７または１８が他方のサブコントローラ１８または１７を管理しながら行う点において異なるだけで、全体としての作用や効果は第１の実施の形態と何ら実質的に異なるものではない。
【００２８】
なお、上記実施の形態においてはメモリーに不揮発性メモリーを用いたテレビ受像機の場合について説明したが、本発明は不揮発性メモリーを用いたテレビ受像機以外の他の機器にも、或は揮発性メモリーを用いた他の機器にも適用することを妨げるものではない。
また、上記実施の形態においては回路が４個、又は３個のメモリーを有する場合について説明したが、メモリーは２個でも、或は５個以上でもよいことはいうまでもない。
【００２９】
また、上記実施の形態においてはメモリーとコントローラ、或はそれらとサブコントローラとを有する回路について説明したが、それら以外の回路素子も共に接続した回路にも本発明を適用できることは勿論である。
また、故障等に係るメモリーが１個だけでなく２個以上の場合であっても、全部のメモリーが故障等に係る場合でないときには、特に本発明の効果を有することができる。
【００３０】
さらに、上記実施の形態においては主として、テレビ受像機の出荷後のメモリーの故障時にそのメモリーを交換した場合について説明したが、テレビ受像機の製造組立に際しての記録調整時にメモリーの一部に欠陥が見つかって、他のメモリーには既にそれらに割り当てられた標準データの書き込みが終わっている場合においても、本発明によれば、その欠陥に係るメモリーを交換した後の新しいメモリーのみについて書き込み動作を行い、他のメモリーへの書き込み動作は省くことが可能であるため、このような場合においても同じく本発明の効果を有することができる。
【００３１】
【発明の効果】
以上説明したように本発明によれば、所定のデータが記録されている複数のメモリーの各々に固有のアドレスを付与し、このアドレスに対応して予め定められた標準データを標準データ保持部に保持し、例えば、アドレスのすべてを指定し、当該指定に基づいて前記標準データ保持手段からデータを読み出し、読み出したデータを前記指定されたアドレスに対応するメモリーに書き込む第１のモードと、例えば、前記複数のメモリーの内、交換されたメモリーに対応するアドレスを指定し、当該指定に基づいて前記標準データ保持部から対応するデータを読み出し、読み出したデータを前記指定されたアドレスに対応するメモリーに書き込む指定書込手段を有するので、ユーザが第１のモードを選択した場合には、メモリーに付与されていたアドレスのすべてが指定され、指定されたアドレスに基づいて標準データ保持部からデータを読み出し、読み出したデータをメモリーに書き込む動作が実行され、また、ユーザが第２のモードを選択した場合には、故障したメモリーに付与されていたアドレスが指定され、指定したアドレスに基づいて標準データ保持部から所定のデータを読み出し、読み出したデータを、新たなメモリーにのみ書き込む動作を実行させることができ、また、特に一部のメモリーのみを交換する場合には、交換の必要のないメモリーには改めてデータを書き直す必要がないので、データの書き込み作業を簡単にかつ短時間で完了させることができ、さらに、上記第1のモードと第２のモードを状況に応じて選択できることから、ユーザの好みに応じた動作をさせることができる。
【００３２】
このため上記実施の形態のように、本発明による記録制御装置を有するテレビ受像機はメモリー交換後の短時間の書き込み終了後に直ちに迅速に調整動作に移ることができ、テレビ受像機の補修操作全体にかかる時間を大幅に短縮することができる。
【図面の簡単な説明】
【図１】本発明の第１の実施の形態に係る記録制御装置の回路要部の構成を示すブロック図である。
【図２】図１に示す回路を有する記録制御装置を備えたテレビ受像機の製造組立に際しての記録調整時における複数のメモリーへの標準データの書き込み動作手順を示すフローチャートである。
【図３】テレビ受像機の出荷後に故障又は欠陥により複数のメモリーのうちの一部を交換した場合の標準データの書き込み動作手順を示すフローチャートである。
【図４】本発明の第２の実施の形態に係る記録制御装置の回路要部の構成を示すブロック図である。
【図５】従来のテレビ受像機の製造組立に際しての記録制御装置の記録調整時、及びその記録制御装置のすべてのメモリーについてのデータ記録後に複数のメモリーのうちの一部のメモリー交換後の、標準データの書き込み動作手順を示すフローチャートである。
【符号の説明】
１１〜１４  不揮発性メモリー
１５  システムコントローラ
１７，１８  サブコントローラ
【図１】
0003674127.tif 000002
【図２】
0003674127.tif 000003
【図３】
0003674127.tif 000004
【図４】
0003674127.tif 000005
【図５】
0003674127.tif 000006